(57)【特許請求の範囲】
【請求項１】
入力する画像情報に応じた画像を表示する画像表示手段と、装置全体を制御する制御手段とを備えた画像表示装置であって、
前記制御手段は、
コピーガード信号を検出するコピーガード信号検出装置と、
前記画像情報に含まれる水平同期信号に同期して、前記画像情報に基づく画像の画素に応じた周波数のクロック信号を出力するクロック信号発生手段と、
前記クロック信号に基づいて、前記画像情報をデジタル変換する信号形式変換手段と、
前記コピーガード信号検出装置により前記画像情報に前記コピーガード信号が含まれていると判定されると、当該コピーガード信号が検出されている間、前記クロック信号発生手段に、前記水平同期信号との同期を規制させるマスク信号を生成出力するマスク信号発生手段とを備え、
前記コピーガード信号検出装置は、
前記画像情報の水平同期周波数および垂直同期周波数を検出する同期信号検出手段と、
前記画像情報に含まれる垂直同期信号の１周期内に入力する水平同期信号のパルス数を計数する計数手段と、
検出された前記水平同期周波数を前記垂直同期周波数で除算した値より、前記パルス数の値が大きいと、前記画像情報にコピーガード信号が含まれていると判定する信号判定手段とを備え、
前記クロック信号発生手段は、前記マスク信号発生手段から前記マスク信号が入力すると、当該マスク信号が入力している間、前記水平同期信号を参照せずに、前記マスク信号が入力する直前の周波数を維持した前記クロック信号を出力することを特徴とする画像表示装置。
【請求項２】
請求項１に記載の画像表示装置において、
前記同期信号検出手段で検出された前記垂直同期信号に基づいて、前記計数手段および前記信号判定手段の動作規制を行う動作規制手段を備えることを特徴とする画像表示装置。
【請求項３】
請求項２に記載の画像表示装置において、
前記動作規制手段は、検出された前記垂直同期周波数が５０〜６０Ｈｚ以外であると、前記計数手段および前記信号判定手段の動作規制を行うことを特徴とする画像表示装置。
【請求項４】
請求項１から請求項３のいずれかに記載の画像表示装置において、
前記クロック信号発生手段は、前記マスク信号発生手段から前記マスク信号が入力すると、当該マスク信号が入力している間、前記水平同期信号との同期を規制する同期規制部を備えることを特徴とする画像表示装置。
【発明の詳細な説明】
【技術分野】
【０００１】
本発明は、画像表示装置に関する。
【背景技術】
【０００２】
従来、ビデオテープやＤＶＤ（Digital Versatile Disc）等の記録媒体に記録された映像コンテンツや、ＣＤ（Compact Disc）等の記録媒体に記録された音声コンテンツの不法複製を防止するコピーガードと言われる処理が知られている。このようなコピーガードは映像コンテンツに使用されるコピーガードだけでも数種類存在し、映像信号が、アナログ信号であるか、デジタル信号であるかによっても施す処理が異なる。このうち、アナログ映像信号に施すコピーガードとして、ビデオ信号の垂直ブランキング期間に擬似水平同期信号（コピーガード信号）を挿入する方式が知られており、また、このような擬似水平同期信号を検出して、コピーガード処理が施されているか否かを検出する検出装置が知られている（例えば、特許文献１参照）。
【０００３】
この特許文献１に記載の検出装置は、入力するビデオ信号を監視して、当該ビデオ信号の垂直ブランキング期間の擬似水平同期信号の数を計数し、また、垂直ブランキング期間以外の映像部区間の同期信号の数を計数する。そして、これらの計数結果から、入力するビデオ信号がコピーガードされた信号であるか否かを判定する。このようにして、コピーガードが施されているか否かを判別することができる。そして、コピーガードが施されていると判別された場合に、コースト信号を発生させ、ＰＬＬ（Phase Locked Loop）が擬似水平同期信号に反応しないようにすることで、ビデオ信号に応じた画像が擬似水平同期信号の影響を受けて乱れないようにすることができる。
【０００４】
【特許文献１】特開平５−１９１７７２号公報
【発明の開示】
【発明が解決しようとする課題】
【０００５】
しかしながら、コピーガード信号として擬似水平同期信号を挿入するコピーガードの場合、当該信号は動的に変化するため、垂直ブランキング期間の同期信号を監視してもコピーガードが施されているか否かを適切に判別することができないという問題がある。このため、擬似水平同期信号が挿入されていない時に、コースト信号を発生させてしまうと、本来の水平同期信号に同期することができなくなってしまうため、歪み等の画像の乱れが生じるという問題がある。
【０００６】
本発明の目的は、適切にコピーガード信号を検出することできる画像表示装置を提供することである。
【課題を解決するための手段】
【０００７】
前記した目的を達成するために、本発明の画像表示装置は、入力する画像情報に応じた画像を表示する画像表示手段と、装置全体を制御する制御手段とを備えた画像表示装置であって、前記制御手段は、コピーガード信号を検出するコピーガード信号検出装置と、前記画像情報に含まれる水平同期信号に同期して、前記画像情報に基づく画像の画素に応じた周波数のクロック信号を出力するクロック信号発生手段と、前記クロック信号に基づいて、前記画像情報をデジタル変換する信号形式変換手段と、前記コピーガード信号検出装置により前記画像情報に前記コピーガード信号が含まれていると判定されると、当該コピーガード信号が検出されている間、前記クロック信号発生手段に、前記水平同期信号との同期を規制させるマスク信号を生成出力するマスク信号発生手段とを備え、前記コピーガード信号検出装置は、前記画像情報の水平同期周波数および垂直同期周波数を検出する同期信号検出手段と、前記画像情報に含まれる垂直同期信号の１周期内に入力する水平同期信号のパルス数を計数する計数手段と、検出された前記水平同期周波数を前記垂直同期周波数で除算した値より、前記パルス数の値が大きいと、前記画像情報にコピーガード信号が含まれていると判定する信号判定手段とを備え、前記クロック信号発生手段は、前記マスク信号発生手段から前記マスク信号が入力すると、当該マスク信号が入力している間、前記水平同期信号を参照せずに、前記マスク信号が入力する直前の周波数を維持した前記クロック信号を出力することを特徴とする。
【０００８】
本発明によれば、垂直ブランキング期間に限らず、コピーガード信号を適切に検出することができる。
すなわち、同期信号検出手段により、入力した画像情報に含まれる水平同期信号の信号周波数、および、垂直同期信号の信号周波数が検出され、計数手段により、垂直同期信号間の水平同期信号のパルス数が計数される。そして、信号判定手段が水平同期周波数を垂直同期周波数で除算することにより、画像情報の本来のライン数を算出し、このライン数と、計数手段により計数されたパルス数とを比較する。そして、パルス数の値の方が大きければ、信号判定手段は、入力した画像情報にコピーガード信号が含まれると判定する。
これによれば、垂直ブランキング期間に限らず、入力する画像情報の略全ての期間で、コピーガード信号の検出を行うことができる。従って、入力する画像情報のコピーガード信号の有無を適切に検出することができる。
【０００９】
また、コピーガード信号検出装置により、入力する画像情報にコピーガード信号が含まれると判定された場合、当該コピーガード信号が検出されている間、マスク信号発生手段によりマスク信号が出力される。このマスク信号がクロック信号発生手段に入力すると、当該クロック信号発生手段は、当該マスク信号が入力している間、水平同期信号を参照せずに、マスク信号が入力する直前の周波数を維持したクロック信号を信号形式変換手段に出力する。これによれば、コピーガード信号が重畳された水平同期信号を無視することにより、画像が乱れることを防ぐことができる。従って、コピーガード信号が含まれた画像情報に基づく画像形成を適切に行うことができる。
【００１０】
本発明では、前記同期信号検出手段で検出された前記垂直同期信号に基づいて、前記計数手段および前記信号判定手段の動作規制を行う動作規制手段を備えることが好ましい。
本発明によれば、同期信号検出手段で検出された垂直同期信号により、動作規制手段が計数手段および信号判定手段の動作を規制することにより、コピーガード信号の検出を行う必要がない場合に、コピーガード信号検出装置における処理の負担を軽減することができる。
【００１１】
本発明では、前記動作規制手段は、検出された前記垂直同期周波数が５０〜６０Ｈｚ以外であると、前記計数手段および前記信号判定手段の動作規制を行うことが好ましい。
ここで、入力する画像情報がビデオ信号である場合は、垂直同期周波数が５０〜６０Ｈｚであり、ビデオ信号に含まれる画像情報に応じた画像を形成表示する場合には、当該ビデオ信号にコピーガード信号が含まれているか否かを判定する必要がある。
本発明によれば、動作規制手段は、検出された前記垂直同期周波数が５０〜６０Ｈｚ以外であると、計数手段および信号判定手段の動作を規制し、５０〜６０Ｈｚであると、計数手段および信号判定手段の動作を規制せず、これらの手段による処理を実行させる。これによれば、コピーガード信号が確実に含まれていない画像情報については、計数手段および信号判定手段による動作を規制することにより、コピーガード信号検出装置における処理を軽減することができる。また、ビデオ信号を再生する場合のようにコピーガード信号が含まれているか否かを検出する必要がある場合には、確実に当該コピーガード信号の検出動作を行うことができる。従って、コピーガード信号検出装置におけるコピーガード信号検出動作・処理を適切に行うことができる。
【００１２】
本発明では、前記クロック信号発生手段は、前記マスク信号発生手段から前記マスク信号が入力すると、当該マスク信号が入力している間、前記水平同期信号との同期を規制する同期規制部を備えることが好ましい。
本発明によれば、マスク信号がクロック信号発生手段に入力すると、当該クロック信号発生手段では、同期規制部により、画像情報に含まれる水平同期信号と同期して当該画像情報に基づく画像の画素に応じた周波数のクロック信号の生成が規制される。これによれば、入力する画像情報にコピーガード信号が含まれている場合に、当該コピーガード信号が重畳された水平同期信号との同期が規制され、規制されるまで生成されていた周波数のクロック信号が信号形式変換手段に出力される。このため、コピーガード信号が重畳された水平同期信号を無視することにより、画像が乱れることを防ぐことができる。従って、コピーガード信号が含まれた画像情報に基づく画像形成を適切に行うことができる。
【発明を実施するための最良の形態】
【００１３】
以下、本発明の一実施形態を図面に基づいて説明する。
（１）画像表示装置１の全体構成
図１は本実施形態の画像表示装置１の構成を示すブロック図である。
本実施形態の画像表示装置１は、入力する画像情報、特にビデオ信号に基づく画像を形成表示するものである。この画像表示装置１は、図１に示すように、画像を表示する画像表示部２と、当該画像表示部２を含む装置全体を制御する制御基板３とを備えて構成されている。
このうち、画像表示部２は、本発明の画像表示手段に相当し、液晶パネル等を備えて構成されている。この画像表示部２の液晶パネルは、後述する制御基板３の液晶駆動制御部によって駆動が制御され、当該液晶駆動制御部から入力する制御信号および画像信号に応じた画像を形成表示する。
【００１４】
（２）制御基板３の構成
制御基板３は、本発明の制御手段に相当し、ＣＰＵ（Central Processing Unit）等を備えた回路基板として構成されている。この制御基板３は、前述のように装置全体の駆動を制御するとともに、入力する画像情報を処理する。
この制御基板３は、主制御部３１と、信号分離部３２と、コピーガード信号検出部３３と、コースト信号発生部３４と、クロック信号発生部３５と、Ａ／Ｄ変換部３６と、映像信号処理部３７と、液晶駆動制御部３８とを備えて構成されている。
このうち、主制御部３１は、図示しないリモコンおよび操作スイッチからの操作信号を処理し、制御基板３を構成する各機能部３２〜３８に制御信号を出力して、当該各機能部３２〜３８の動作を制御する。
【００１５】
信号分離部３２は、外部から入力するビデオ信号から、水平同期信号と垂直同期信号を分離する。これら分離した水平同期信号は、コピーガード信号検出部３３およびクロック信号発生部３５に出力される。また、分離した垂直同期信号は、コピーガード信号検出部３３に出力される。
【００１６】
コピーガード信号検出部３３は、本発明のコピーガード信号検出装置に相当し、画像表示装置１に入力し、信号分離部３２で分離された水平同期信号および垂直同期信号のうち、コピーガード信号と呼ばれる水平同期信号に重畳された信号の有無を常時判定し、当該信号が検出された場合に、後述するコースト信号発生部３４に、コピーガード信号が検出された旨の制御信号を出力するものである。
このコピーガード信号検出部３３は、水平周波数検出部３３１と、垂直周波数検出部３３２と、ライン数算出部３３３と、水平同期信号計数部３３４と、信号判定部３３５と、動作規制部３３６とを機能的に備えている。
【００１７】
図２は、信号分離部３２で分離した水平同期信号Ｈおよび垂直同期信号Ｖを示す波形図である。なお、図２においては、コピーガード信号Ｃを分かりやすくするために、当該コピーガード信号Ｃを１つの水平同期信号Ｈの略中央に大きく記載している。
水平周波数検出部３３１および垂直周波数検出部３３２は、本発明の同期信号検出部に相当し、信号分離部３２で分離した水平同期信号Ｈ（図２参照）および垂直同期信号Ｖ（図２参照）の信号周波数をそれぞれ検出する。
このうち、水平周波数検出部３３１は、コピーガード信号Ｃが水平同期信号Ｈに重畳されている場合、画像表示装置１に入力した画像情報本来の水平同期信号Ｈの周波数を検出できないため、コピーガード信号Ｃが含まれていない安定した位置で水平同期信号Ｈの周波数を検出する。このような位置として、本実施形態では、１画像の垂直方向の略中央に対応する位置を採用している。
また、垂直周波数検出部３３２は、検出した垂直同期信号Ｖの周波数を、動作規制部３３６に出力する。
【００１８】
ライン数算出部３３３は、水平周波数検出部３３１および垂直周波数検出部３３２で検出された水平同期信号Ｈの周波数および垂直同期信号Ｖの周波数から、入力した画像情報に応じた画像のライン数を算出する。具体的に、ライン数算出部３３３は、水平同期信号Ｈの周波数を垂直同期信号Ｖの周波数で除算して得た値をライン数としている。このようにして算出されたライン数は、信号判定部３３５に出力される。
【００１９】
水平同期信号計数部３３４は、本発明の計数手段に相当し、垂直同期信号Ｖ間の水平同期信号Ｈのパルス数を計数する。具体的に、水平同期信号計数部３３４は、図２に示すように、１つの垂直同期信号Ｖの期間（図２においてＴで示す期間）の間に、コピーガード信号Ｃを含む水平同期信号Ｈのパルス数を計数する。従って、この水平同期信号計数部３３４で計数された値は、コピーガード信号Ｃが含まれない場合は、水平同期信号Ｈの期間Ｔのパルス数となり、コピーガード信号Ｃが含まれる場合には、水平同期信号Ｈおよびコピーガード信号Ｃの期間Ｔのパルス数となる。このようにして算出されたパルス数は、信号判定部３３５に出力される。
【００２０】
信号判定部３３５は、ライン数算出部３３３から入力するライン数と、水平同期信号計数部３３４から入力するパルス数とを比較して、画像表示装置１に入力した画像情報にコピーガード信号が含まれているか否かを判定する。ここで、入力する画像情報にコピーガード信号が含まれている場合には、ライン数の値よりもパルス数の値の方が大きくなるため、信号判定部３３５は、ライン数よりパルス数の方が大きい場合に、コピーガード信号が含まれている旨の制御信号をコースト信号発生部３４に出力する。すなわち、信号判定部３３５は、ライン数算出部３３３とにより、本発明の信号判定手段を構成する。
【００２１】
動作規制部３３６は、本発明の動作規制手段に相当し、垂直同期信号Ｖの周波数に応じて、ライン数算出部３３３、水平同期信号計数部３３４および信号判定部３３５の動作を規制する。具体的に、動作規制部３３６は、垂直周波数検出部３３２により検出された垂直同期信号Ｖの周波数が、ビデオ信号の周波数である５０〜６０Ｈｚである場合は、ライン数算出部３３３、水平同期信号計数部３３４および信号判定部３３５の動作を規制せず、当該周波数が、５０〜６０Ｈｚ以外である場合は、これらの動作を規制する。
これにより、入力する画像情報がビデオ信号である場合にコピーガード信号の検出を行うこととなるので、コピーガード信号の検出が必要な場合に、当該信号の検出動作を確実に行うことができる。また、ＰＣ（Personal Computer）等から入力しコピーガード信号が含まれない画像情報については、コピーガード信号の検出動作を行わないようにすることにより、コピーガード信号検出部３３における処理負荷を軽減することができる。
【００２２】
コースト信号発生部３４は、本発明のマスク信号発生手段に相当し、コピーガード信号検出部３３の信号判定部３３５から、画像情報にコピーガード信号が含まれている旨の制御信号が入力した場合に、コースト信号を生成させる。そして、発生させたコースト信号は、図１に示すように、クロック信号発生部３５に出力される。すなわち、コースト信号は、垂直同期信号の前後数水平同期信号の期間においては、垂直同期信号の影響を除くために常に生成出力され、画像情報にコピーガード信号が含まれていると判定された場合には、コピーガード信号重畳期間においても生成出力される。
なお、コースト信号は、本発明のマスク信号に相当し、本実施形態では、クロック信号発生部３５に対して、水平同期信号Ｈを無視して、当該コースト信号が入力する直前の周波数のクロック信号を生成出力させる信号とされている。
【００２３】
クロック信号発生部３５は、本発明のクロック信号発生手段に相当し、ＰＬＬ等を備えて構成されている。このクロック信号発生部３５は、信号分離部３２から入力する水平同期信号に基づいて、画像の解像度に応じて、当該画像の１ラインのピクセル（画素）数に応じた周波数のクロック信号を生成する。このようにして生成されたクロック信号は、Ａ／Ｄ変換部３６に出力される。
このクロック信号発生部３５は、同期規制部３５１を備え、コースト信号発生部３４からコースト信号が入力している間は、当該同期規制部３５１により、信号分離部３２から入力する水平同期信号に基づくクロック信号の生成が規制される。すなわち、コースト信号が入力している間は、クロック信号発生部３５は、信号分離部３２から入力する水平同期信号を参照せずにクロック信号を生成する。これにより、クロック信号発生部３５が、コピーガード信号を含む水平同期信号に基づいてクロック信号を生成することを防ぐことができ、後述するＡ／Ｄ変換部３６を介して、映像信号処理部３７、液晶駆動制御部３８および画像表示部２により、乱れの無い適切な画像を形成することができる。
【００２４】
Ａ／Ｄ変換部３６は、本発明の信号形式変換手段に相当し、クロック信号発生部３５から入力するクロック信号に応じて、画像表示装置１に入力する画像情報の映像信号をアナログ信号からデジタル信号に変換する。このデジタル変換された映像信号は、映像信号処理部３７に出力される。
映像信号処理部３７は、主制御部３１の制御下で、Ａ／Ｄ変換部３６から入力する映像信号を処理する。例えば、映像信号処理部３７は、１画像のスケール調整や、色補正等を行う。また、必要に応じてＯＳＤ（On Screen Display）メニューの映像信号を生成する。このようにして処理された映像信号は、液晶駆動制御部３８に出力される。
液晶駆動制御部３８は、映像信号処理部３７から入力する映像信号に応じて画像表示部２の液晶パネルを駆動して、当該映像信号に基づく画像を表示する。
【００２５】
（３）デジタル変換処理Ｓ
以下に、画像表示装置１におけるデジタル変換処理Ｓを説明する。
図３は、画像表示装置１におけるデジタル変換処理Ｓの処理フローを示す図である。
デジタル変換処理Ｓでは、図３に示すように、まず、信号分離部３２が、外部から入力する画像情報に含まれる水平同期信号Ｈおよび垂直同期信号Ｖを分離する。そして、信号分離部３２は、コピーガード信号検出部３３およびクロック信号発生部３５に分離した水平同期信号Ｈを出力し、コピーガード信号検出部３３に垂直同期信号Ｖを出力する（処理Ｓ０１）。
【００２６】
コピーガード信号検出部３３は、以下の処理Ｓ１１〜Ｓ１６を順に繰り返し実行する。
すなわち、コピーガード信号検出部３３は、信号分離部３２から水平同期信号Ｈおよび垂直同期信号Ｖが入力すると、水平周波数検出部３３１および垂直周波数検出部３３２により、それぞれの信号周波数を検出する（処理Ｓ１１）。このうち、水平周波数検出部３３１は、検出した水平同期信号Ｈの周波数をライン数算出部３３３に出力し、また、垂直周波数検出部３３２は、検出した垂直同期信号Ｖの周波数をライン数算出部３３３および動作規制部３３６に出力する。そして、動作規制部３３６は、入力した垂直同期信号Ｖの周波数を判定する（処理Ｓ１２）。
ここで、動作規制部３３６が、入力した垂直同期信号Ｖの周波数が５０〜６０Ｈｚ以外であると判定した場合、当該動作規制部３３６は、ライン数算出部３３３、水平同期信号計数部３３４および信号判定部３３５に制御信号を出力して、各機能部３３３〜３３５の動作を規制し、コピーガード信号検出部３３は、処理Ｓ１１に戻る。
【００２７】
一方、動作規制部３３６が、入力した垂直同期信号Ｖの周波数が５０〜６０Ｈｚであると判定した場合、当該動作規制部３３６は動作規制を行わないため、ライン数算出部３３３は、入力した水平同期信号Ｈの周波数および垂直同期信号Ｖの周波数からライン数を算出する（処理Ｓ１３）。
この処理Ｓ１３と並行して、水平同期信号計数部３３４は、信号分離部３２から入力した水平同期信号Ｈおよび垂直同期信号Ｖから、当該垂直同期信号Ｖ間の水平同期信号Ｈのパルス数を計数する（処理Ｓ１４）。
これら算出されたライン数および計数されたパルス数は、それぞれライン数算出部３３３および水平同期信号計数部３３４から、信号判定部３３５に出力される。
【００２８】
これら処理Ｓ１３，Ｓ１４の後、信号判定部３３５は、入力したライン数およびパルス数をそれぞれ比較する（処理Ｓ１５）。ここで、信号判定部３３５が、ライン数がパルス数以上であると判定した場合、画像表示装置１に入力した画像情報にコピーガード信号は含まれていないと見做して、コピーガード信号検出部３３は、処理Ｓ１１に戻る。
また、信号判定部３３５が、ライン数がパルス数より小さいと判定した場合、画像表示装置１に入力した画像情報にコピーガード信号が含まれていると見做して、コースト信号発生部３４に、コピーガード信号が検出された旨を示す制御信号を出力する（処理Ｓ１６）。
【００２９】
また、コースト信号発生部３４は、以下の処理Ｓ２１，Ｓ２２を常時実行している。
すなわち、コースト信号発生部３４は、コピーガード信号検出部３３から制御信号が入力したか否かを判定している（処理Ｓ２１）。そして、コースト信号発生部３４は、コピーガード信号検出部３３から制御信号の入力が検出された場合、当該制御信号が入力している間、コースト信号を生成する。そして、コースト信号発生部３４は、生成したコースト信号をクロック信号発生部３５に出力する（処理Ｓ２２）。
【００３０】
また、クロック信号発生部３５は、以下の処理Ｓ３１〜Ｓ３３を常時実行している。
すなわち、クロック信号発生部３５は、処理Ｓ０１により、信号分離部３２から水平同期信号Ｈが入力している状態で、コースト信号発生部３４からコースト信号が入力したか否かを判定する（処理Ｓ３１）。
ここで、コースト信号の入力を検出しなかった場合、クロック信号発生部３５は、処理Ｓ３３に移行する。
一方、コースト信号の入力を検出した場合、クロック信号発生部３５は、当該クロック信号発生部３５の同期規制部３５１により、信号分離部３２から入力する水平同期信号Ｈに基づく、当該水平同期信号Ｈに同期したクロック信号の生成が規制される。すなわち、水平同期信号Ｈにコースト信号がかけられることにより、コピーガード信号を含む水平同期信号Ｈが無視される（処理Ｓ３２）。
【００３１】
この後、処理Ｓ３３で、クロック信号発生部３５は、クロック信号を生成し、当該クロック信号をＡ／Ｄ変換部３６に出力する（処理Ｓ３３）。この際、クロック信号発生部３５は、処理Ｓ３１でコースト信号の入力が検出されていない場合には、信号分離部３２から入力する水平同期信号Ｈに基づいて、当該水平同期信号Ｈに同期したクロック信号を生成する。また、クロック信号発生部３５は、処理Ｓ３１でコースト信号の入力が検出され、処理Ｓ３２における規制がなされた場合では、当該コースト信号の入力が検出されている期間だけ、水平同期信号Ｈを無視して当該コースト信号の入力される直前の周波数でクロック信号の生成を行う。すなわち、コースト信号が入力している期間は、水平同期信号Ｈとの比較・同期を行わないで、コースト信号が入力する直前の周波数を保ったままでクロック信号生成を行う。
また、Ａ／Ｄ変換部３６は、クロック信号発生部３５から入力するクロック信号に基づいて、画像表示装置１に入力する画像情報の映像信号をデジタル変換し、当該映像信号を映像信号処理部３７に出力する（処理Ｓ４１）。
【００３２】
以上のような本実施形態の画像表示装置１および当該画像表示装置１で実行されるデジタル変換処理Ｓによれば、以下の効果を奏することができる。
画像表示装置１に入力した画像情報の水平同期信号Ｈおよび垂直同期信号Ｖの各周波数を、コピーガード信号検出部３３の水平周波数検出部３３１および垂直周波数検出部３３２が処理Ｓ１１で検出し、これら周波数から、ライン数算出部３３３が処理Ｓ１３で画像のライン数を算出する。
一方、水平同期信号計数部３３４が処理Ｓ１４で、垂直同期信号Ｖ間の水平同期信号Ｈのパルス数を計数し、信号判定部３３５が、処理Ｓ１５でライン数とパルス数とを比較する。そして、ライン数よりパルス数が大きければ、入力した画像情報にコピーガード信号が含まれると判定する。これら処理Ｓ１１，Ｓ１３〜Ｓ１５は、垂直同期信号の周波数が５０〜６０Ｈｚであれば、常に実行される。
これによれば、コピーガード信号が含まれる場合にライン数より大きくなるパルス数の値を監視することにより、コピーガード信号を適切かつ確実に検出することができる。
【００３３】
コピーガード信号検出部３３がコピーガード信号を検出した場合に、信号判定部３３５は、処理Ｓ１６でコースト信号発生部３４に制御信号を出力し、コースト信号発生部３４は、処理Ｓ２２で当該制御信号が入力している期間、コースト信号を生成出力する。
また、クロック信号発生部３５の同期規制部３５１は、コースト信号が入力した場合、信号分離部３２から入力する水平同期信号Ｈにコースト信号をかけて、当該コースト信号が入力している間の水平同期信号Ｈに同期したクロック信号の生成を規制する。
これにより、Ａ／Ｄ変換部３６により、映像信号のデジタル変換の際に、画像の水平方向の同期が取れなくなることを抑えることができる。従って、映像信号のデジタル変換を適切に行うことができ、形成画像が乱れることを抑制することができる。
【００３４】
（４）実施形態の変形
本発明は前述の実施形態に限定されるものではなく、本発明の目的を達成できる範囲での変形、改良等は本発明に含まれるものである。
例えば、前記実施形態では、入力する画像情報に含まれる垂直同期信号Ｖの周波数が５０〜６０Ｈｚ以外の場合、コピーガード信号検出部３３の動作規制部３３６により、ライン数算出部３３３、水平同期信号計数部３３４および信号判定部３３５の動作を規制するとしたが、本発明はこれに限らない。すなわち、他の周波数帯の垂直同期信号が入力した場合に、動作規制部３３６は各機能部３３３〜３３５の動作を規制するとしてもよい。
なお、５０〜６０Ｈｚの垂直同期信号が入力した場合に動作規制部３３６による規制を行わず、５０〜６０Ｈｚ以外の垂直同期信号が入力した場合に規制を行うとすれば、ビデオ信号の再生時のようにコピーガード信号の検出処理が必要な場合に、当該処理を確実に実行できるとともに、必要でない場合に処理の軽減を図ることができる。
【００３５】
前記実施形態では、コピーガード信号検出部３３は、制御基板３を構成する機能部として説明したが、素子および回路等を組み合わせたハードとして構成してもよく、また、ＣＰＵ等で実行処理されるソフトウェアの機能として実装してもよい。
【００３６】
前記実施形態では、画像表示装置として、液晶パネルを有する画像表示部を備えた画像表示装置１を採用したが、本発明はこれに限らない。すなわち、本発明における画像表示装置は、リアプロジェクション型ディスプレイ、プラズマディスプレイおよびＣＲＴ（Cathode Ray Tube）ディスプレイでもよい。また、リアプロジェクション型ディスプレイの場合は、光源から射出された光束を画像情報に応じて変調して光学像を形成する光変調装置としては、液晶パネル以外に、マイクロミラーを用いたデバイス等を採用してもよい。
【産業上の利用可能性】
【００３７】
本発明は、コピーガード信号を検出するコピーガード信号検出装置を備えた画像表示装置に利用でき、特に入力するビデオ信号を再生する画像表示装置に好適に利用することができる。
【図面の簡単な説明】
【００３８】
【図１】本発明の一実施形態に係る画像表示装置の構成を示すブロック図。
【図２】前記実施形態における水平同期信号および垂直同期信号を示す波形図。
【図３】前記実施形態におけるデジタル変換処理の処理フローを示す図。
【符号の説明】
【００３９】
１…画像表示装置、２…画像表示部（画像表示手段）、３…制御基板（制御手段）、３３…コピーガード信号検出部（コピーガード信号検出装置）、３４…コースト信号発生部（マスク信号発生手段）、３５…クロック信号発生部（クロック信号発生手段）、３６…Ａ／Ｄ変換部（信号形式変換手段）、３３１…水平周波数検出部（同期信号検出手段）、３３２…垂直周波数検出部（同期信号検出手段）、３３３…ライン数算出部（信号判定手段）、３３４…水平同期信号計数部（パルス計数手段）、３３５…信号判定部（信号判定手段）、３３６…動作規制部（動作規制手段）、３５１…同期規制部、Ｃ…コピーガード信号、Ｈ…水平同期信号、Ｖ…垂直同期信号。
【図１】
0004539464.tif 000002
【図２】
0004539464.tif 000003
【図３】
0004539464.tif 000004